(57)【要約】【課題】反発性に優れ打球感が良好なアイアン型ゴルフクラブヘッドの提供。【解決手段】アイアン型ゴルフクラブヘッド２は、フェースセンターｆｃを有する打撃フェース４を備えている。ヘッド２では、打撃フェース４内におけるＣＯＲの最大値が０．８３０以上である。打点がフェースセンターｆｃであり、ヘッドスピードが３４.０ｍ／ｓであり、且つ、測定地点がボール中心から水平に３０ｃｍ離れた地点であるときの、打球音の音圧レベルが、４０００Ｈｚにおいて１００ｄＢ以下である。このヘッド２は、４０００Ｈｚに最も近い固有振動数での振動モードにおける最大振幅部の振動を抑制する振動抑制部を有している。【選択図】図１０
2020062119.tif 000002
【特許請求の範囲】
【請求項１】
フェースセンターを有する打撃フェースを備えており、
前記打撃フェース内におけるＣＯＲの最大値が０．８３０以上であり、
打点が前記フェースセンターであり、ヘッドスピードが３４．０ｍ／ｓであり、且つ、測定地点がボール中心から水平に３０ｃｍ離れた地点であるときの、打球音の音圧レベルが、４０００Ｈｚにおいて１００ｄＢ以下であり、
４０００Ｈｚに最も近い固有振動数での振動モードにおける最大振幅部の振動を抑制する振動抑制部を有しているアイアン型ゴルフクラブヘッド。
【請求項２】
前記振動抑制部が、部分的な熱処理によって形成されている請求項１に記載のアイアン型ゴルフクラブヘッド。
【請求項３】
打撃フェースを備えたヘッド本体と、このヘッド本体に取り付けられた振動抑制部材とを有しており、
前記打撃フェース内におけるＣＯＲの最大値が０．８３０以上であり、
打点が前記打撃フェースの中心であり、ヘッドスピードが３４．０ｍ／ｓであり、且つ、測定地点がボール中心から水平に３０ｃｍ離れた地点であるときの、打球音の音圧レベルが、４０００Ｈｚにおいて１００ｄＢ以下であり、
前記ヘッド本体が、４０００Ｈｚに最も近い固有振動数を有する振動モードにおける最大振幅部を有しており、
前記振動抑制部材が、前記最大振幅部における振動を抑制しているアイアン型ゴルフクラブヘッド。
【請求項４】
４０００Ｈｚにおける前記音圧レベルがＳ４（ｄＢ）とされ、
５０００Ｈｚにおける前記音圧レベルがＳ５（ｄＢ）とされるとき、
Ｓ５がＳ４よりも大きく、
差（Ｓ５−Ｓ４）が２ｄＢ以上である請求項１から３のいずれか１項に記載のゴルフクラブヘッド。
【請求項５】
４０００Ｈｚに最も近い固有振動数を有する振動モードにおける最大振幅部を特定するステップと、
前記最大振幅部の振動が抑制されるように、振動抑制部を設けるステップと、
を含むアイアン型ゴルフクラブヘッドの設計方法。
【発明の詳細な説明】
【技術分野】
【０００１】
本開示は、アイアン型ゴルフクラブに関する。
【背景技術】
【０００２】
米国特許第９５８６１０５号は、高いＣＯＲを有するアイアン型ゴルフクラブヘッドを開示する。
【先行技術文献】
【特許文献】
【０００３】
【特許文献１】米国特許第９５８６１０５号明細書
【発明の概要】
【発明が解決しようとする課題】
【０００４】
反発性が高いアイアン型ヘッドでは、打撃時に不快な音が発生しやすいことが明らかとなった。また、この打球音が、打球感に影響しうることが明らかとなった。不快な打球音により、良好な打球感が損なわれうる。
【０００５】
本開示は、反発性に優れ打球感が良好なアイアン型ゴルフクラブヘッドを提供する。
【課題を解決するための手段】
【０００６】
一つの態様では、アイアン型ゴルフクラブヘッドは、フェースセンターを有する打撃フェースを備えている。前記打撃フェース内におけるＣＯＲの最大値が０．８３０以上である。打点が前記フェースセンターであり、ヘッドスピードが３４．０ｍ／ｓであり、且つ、測定地点がボール中心から水平に３０ｃｍ離れた地点であるときの、打球音の音圧レベルが、４０００Ｈｚにおいて１００ｄＢ以下である。このヘッドは、４０００Ｈｚに最も近い固有振動数での振動モードにおける最大振幅部の振動を抑制する振動抑制部を有している。
【０００７】
他の態様では、アイアン型ゴルフクラブヘッドの設計方法は、４０００Ｈｚに最も近い固有振動数を有する振動モードにおける最大振幅部を特定するステップと、前記最大振幅部の振動が抑制されるように、振動抑制部を設けるステップとを含む。
【発明の効果】
【０００８】
一つの側面として、反発性に優れ打球感が良好なアイアン型ゴルフクラブヘッドが提供されうる。
【図面の簡単な説明】
【０００９】
【図１】図１は、第１実施形態に係るゴルフクラブヘッドの平面図である。
【図２】図２は、図１のゴルフクラブヘッドの底面図である。
【図３】図３は、図１のゴルフクラブヘッドのトウ側面図である。
【図４】図４は、図１のゴルフクラブヘッドのヒール側面図である。
【図５】図５は、図１のゴルフクラブヘッドの背面図である。
【図６】図６は、ヘッドの設計方法の一例を示すフローチャートである。
【図７】図７は、第２実施形態のヘッド（対策後ヘッド）及びその対策前ヘッドを示す背面図である。
【図８】図８は、第３実施形態のヘッド（対策後ヘッド）及びその対策前ヘッドを示す背面図である。
【図９】図９は、実施例１及び比較例１から３の打球音の測定結果を示すグラフである。
【図１０】図１０は、実施例１の対策前ヘッド（比較例１）の振動モードを示す画像である。
【図１１】図１１は、比較例３の振動モードを示す画像である。
【図１２】図１２は、トウ上部領域を示すヘッド背面図である。
【図１３】図１３は、基準状態を説明するための図である。
【発明を実施するための形態】
【００１０】
以下、適宜図面が参照されつつ、実施形態が詳細に説明される。
【００１１】
図１は、一実施形態のアイアン型ゴルフクラブヘッド２を上方から見た平面図である。図２は、ヘッド２をソール側から見た底面図である。図３は、ヘッド２のトウ側面図である。図４は、ヘッド２のヒール側面図である。図５は、ヘッド２をバック側から見た背面図である。
【００１２】
ヘッド２は、打撃フェース４、バックフェース６、トップ面８、ソール１０及びホーゼル１２を有する。図１において記載が省略されているが、打撃フェース４は、複数のスコアラインを有する。これらのスコアラインを無視すると、打撃フェース４は平面である。ホーゼル１２は、ホーゼル孔１４を有する。ホーゼル孔１４にはシャフトが装着される。図５が示すように、バックフェース６はバックキャビティ１６を有する。ヘッド２は、いわゆるキャビティバックアイアンである。バックキャビティ１６は、打撃フェース４の薄肉化に寄与している。薄い打撃フェース４は、ＣＯＲ（反発係数）を高める。バックキャビティ１６は、ヘッド周辺への重量配分に寄与している。
【００１３】
ヘッド２のバックキャビティ１６は、外部に開放された凹部である。ヘッド２は、閉じた中空部を有していない。すなわち、ヘッド２は、中空ヘッドではない。ヘッド２は、中空ヘッドであってもよい。
【００１４】
反発性能の観点から、打撃フェース４は、薄肉部１８を有するのが好ましい（図５参照）。薄肉部１８は、スイートスポットを含むのが好ましい。この薄肉部１８の裏面は、バックキャビティ１６の底面とされうる。スイートスポットは、ヘッド２の重心を通り且つ打撃フェース４に垂直な直線と打撃フェース４との交点である。
【００１５】
反発性能の観点から、薄肉部１８の厚みＴ１は、３．０ｍｍ以下が好ましく、２．６ｍｍ以下がより好ましく、２．４ｍｍ以下がより好ましい。強度の観点から、薄肉部１８の厚みＴ１は、１．６ｍｍ以上が好ましく、１．８ｍｍ以上がより好ましく、２．０ｍｍ以上がより好ましい。厚みＴ１は、打撃フェース４に垂直な方向に沿って測定される。
【００１６】
反発性能の観点から、薄肉部１８の面積は、１０００ｍｍ２以上が好ましく、１２００ｍｍ２以上がより好ましく、１５００ｍｍ２以上がより好ましい。強度の観点から、薄肉部１８の面積は、２５００ｍｍ２以下が好ましく、２２００ｍｍ２以下がより好ましく、２０００ｍｍ２以下がより好ましい。
【００１７】
図５が示すように、ヘッド２は、バックキャビティ１６の周囲を構成しバックキャビティ１６のトップ側に位置するトップ周囲部２２を有する。トップ周囲部２２は、外縁２２ａを有する。トップ周囲部２２の外縁２２ａは、トップ面８の後縁である。ヘッド２は、バックキャビティ１６の周囲を構成しバックキャビティ１６のトウ側に位置するトウ周囲部２４を有する。トウ周囲部２４は、外縁２４ａを有する。トップ周囲部２２とトウ周囲部２４とはトウ上部において繋がっている。当業者において、トップ周囲部２２は、ブレード部とも称されることがある。
【００１８】
トップ周囲部２２は、幅Ｗ１を有する。この幅Ｗ１は、打撃フェース４と平行であって且つ外縁２２ａの延在方向に対して垂直な方向に沿って測定される。外縁２２ａが曲線に沿って延在している場合、外縁２２ａの延在方向は、当該曲線の接線の方向である。
【００１９】
トウ周囲部２４は、幅Ｗ２を有する。この幅Ｗ２は、打撃フェース４と平行であって且つ外縁２４ａの延在方向に対して垂直な方向に沿って測定される。外縁２４ａが曲線に沿って延在している場合、外縁２４ａの延在方向は、当該曲線の接線の方向である。
【００２０】
ヘッド２の製法は限定されず、鋳造及び鍛造が例示される。鋳造としては、ロストワックス精密鋳造が好ましい。ヘッド２は、その全体が一体成形されてもよいし、成形された２以上の部材が接合されていてもよい。各部材の製法が限定されず、鋳造及び鍛造が例示される。例えば、ヘッド２は、フェース部に開口を有するヘッド本体と、フェース部材とが接合されていてもよい。このフェース部材は、前記厚みＴ１を有するプレートとされうる。
【００２１】
中空構造を有し、ヘッド体積が大きなヘッドでは、打球音が大きい傾向がある。特に、ドライバーヘッドでは、打球音が大きい。これに対して、アイアン型ヘッドでは、打球音は比較的小さいと考えられていた。しかし、本発明者は、アイアン型ヘッドにおける打球音の重要性を見いだした。
【００２２】
薄肉部１８が設けられ、ＣＯＲが大きいヘッドでは、不快な打球音が発生しやすいことが分かった。ヘッド２では、大きなＣＯＲを維持しつつ、後述される振動抑制部によって、良好な打球音が得られる。
【００２３】
打球音との関連において、本願では、以下の用語及び測定方法が定義される。
【００２４】
［ＣＯＲ］
ＣＯＲは、反発係数（Ｃｏｅｆｆｉｃｉｅｎｔ  Ｏｆ  Ｒｅｓｔｉｔｕｔｉｏｎ）を意味する。ＣＯＲは、ＵＳＧＡ（Ｕｎｉｔｅｄ  Ｓｔａｔｅｓ  Ｇｏｌｆ  Ａｓｓｏｃｉａｔｉｏｎ：全米ゴルフ協会）で規定されている「Ｉｎｔｅｒｉｍ  Ｐｒｏｃｅｄｕｒｅ  ｆｏｒ  Ｍｅａｓｕｒｉｎｇ  ｔｈｅ  Ｃｏｅｆｆｉｃｉｅｎｔ  ｏｆ  Ｒｅｓｔｉｔｕｔｉｏｎ  ｏｆ  ａｎ  Ｉｒｏｎ  Ｃｌｕｂｈｅａｄ  Ｒｅｌａｔｉｖｅ  ｔｏ  ａ  Ｂａｓｅｌｉｎｅ  Ｐｌａｔｅ  Ｒｅｖｉｓｉｏｎ  １．３  Ｊａｎｕａｒｙ  １，  ２００６」に基づいて測定される。
【００２５】
打撃フェース内のあらゆる位置で、ＣＯＲが測定される。これらのＣＯＲのうちの最大値が決定される。
【００２６】
［打球音の測定方法］
測定対象のヘッドが装着されたゴルフクラブをスイングロボットに装着し、ティーアップされたボールを、３４．０ｍ／ｓのヘッドスピードで打撃する。打点はフェースセンターＦｃとされる（図１参照）。ゴルフボールとして、住友ゴム工業社製の商品名「スリクソンＺ−ＳＴＡＲ  ＸＶ」（２０１７年発売）が用いられる。ティーのトウ側３０ｃｍの位置にマイクロフォンを設置し、打球音を収録する。ＦＦＴアナライザーでフーリエ変換を行い、１／３オクターブバンド処理を行って、各周波数における音圧レベルを得る。ＦＦＴアナライザーとして、小野測器社製のＤＳ−２１００が用いられる。マイクロフォンが接続されるアンプとして、ブリュエル・ケアー社製のＴｙｐｅ５９３５が用いられる。マイクロフォンとして、Ｂ＆Ｋ社（ブリュエル・ケアー社）製の４１９０−Ｌ−００１が用いられる。このマイクロフォンは、このマイクロフォンの先端（音の収集部）が、ティーのトウ側３０ｃｍであって且つティーに置かれたゴルフボールの中心と同じ高さになるように設置される。マイクロフォンは、当該マイクロフォンの中心線が水平で且つ目標方向に対して垂直となるように設置される。この中心線は、ティーにおかれたゴルフボールの中心を通る。ゴルフボールの温度は、２０〜２５℃、より好ましくは２３℃とされる。ゴルフボールは、２３℃に設定された恒温槽に十分長い時間置かれ、この恒温槽から取り出された直後に打撃される。なお打球音の測定値は、５回の測定の平均値とされうる。
【００２７】
本願における音圧レベルは、Ａ特性による補正を施した値である。すなわち、本願における音圧レベルは、Ａ特性音圧レベルである。Ａ特性は、人間の聴覚を考慮した周波数重み付け特性である。Ａ特性は、ＪＩＳ  Ｃ  １５０２−１９９０「普通騒音計」に定められている。この音圧レベルの単位はｄＢであり、より詳細には、ｄＢ（Ａ）である。
【００２８】
なお、フェースセンターＦｃは、最長スコアラインの中点の位置における、打撃フェース４の上下方向幅の中点である。この上下方向とは、打撃フェース４に沿った方向であって、前記最長スコアラインに対して垂直な方向を意味する。
【００２９】
［振動モード］
本願における「振動モード」は、ヘッドの固有値解析（モード解析）により求められる振動の形であり、固有モード形とも称される。振動モードは、固有振動数ごとに定まる。ヘッドの固有値解析は、シミュレーションにより実施される。
【００３０】
シミュレーションでは、有限要素法が用いられる。この有限要素法では、ヘッドの３次元データ（計算モデル）が、メッシュ分割される。このメッシュ分割は、市販のプリプロセッサ（ＨｙｐｅｒＭｅｓｈ等）によってなされうる。また、ヘッド材質の物性値として、縦弾性率、密度及びポアソン比が用いられる。
【００３１】
固有値解析では、ヘッドの固有振動数及び各固有振動数における振動モードが得られる。固有値解析ソフトウェアとして、ＭＳＣソフトウェア社の「Ｎａｓｔｒａｎ」が用いられる。拘束条件は、自由支持条件とされる。この固有値解析により、複数の固有振動数及び固有振動数毎の振動モードが求められる。
【００３２】
［最大振幅部Ｐｘ］
各振動モードにおいて、振幅が最大となる点が存在する。この点が、最大振幅点である。各振動モードにおいて、この最大振幅点の振幅に対して９０％以上の振幅を有する部分が、最大振幅部Ｐｘと定義される。
【００３３】
［４０００Ｈｚに最も近い固有振動数を有する振動モードにおける最大振幅部Ｐｘ１］
求められた複数の固有振動数のうち、４０００Ｈｚに最も近い固有振動数が決定される。この固有振動数の振動モードにおける最大振幅部Ｐｘが、最大振幅部Ｐｘ１である。最大振幅部Ｐｘ１は、１箇所であってもよいし、２箇所以上であってもよい。好ましくは、最大振幅部Ｐｘ１は、４０００Ｈｚに最も近い固有振動数の振動モードにおける最大振幅点を含む。なお、最大振幅部Ｐｘは、ホーゼル以外からの部分から選択される。実際のクラブでは、ホーゼルにはシャフトが固定されている。このシャフトはホーゼルの振動を抑制しうる。よって、固有値解析においてホーゼルの端部が振動していたとしても、この振動が打球音に与える影響は小さい。
【００３４】
［４０００Ｈｚにおける音圧レベルＳ４］
１／３オクターブバンドの中心周波数は、４０００Ｈｚを含む。上記測定により得られた、４０００Ｈｚにおける音圧レベルが、音圧レベルＳ４である。
【００３５】
［５０００Ｈｚにおける音圧レベルＳ５］
１／３オクターブバンドの中心周波数は、５０００Ｈｚを含む。上記測定により得られた、５０００Ｈｚにおける音圧レベルが、音圧レベルＳ５である。
【００３６】
［音圧レベルが最も大きい周波数Ｈ１］
上記測定により、１／３オクターブバンドの中心周波数毎に、音圧レベルが定まる。１／３オクターブバンドの中心周波数のうち、音圧レベルが最も大きい中心周波数が、この周波数Ｈ１である。周波数Ｈ１は、４０００Ｈｚではないのが好ましい。
【００３７】
［振動抑制部］
最大振幅部Ｐｘ１での振動を抑制する部分が、振動抑制部とも称される。振動抑制部として、以下が例示される。
（ａ）部分的に大きな厚みを形成している肉厚付加部。例えば、その周囲よりも大きな厚みを形成している肉厚付加部。
（ｂ）部分的に大きな幅を形成している幅付加部。例えば、その両側よりも大きな幅を形成している幅付加部。
（ｃ）部分的な熱処理により素材の物性を変化させることで、この熱処理部分の剛性が高められた熱処理部。
（ｄ）ヘッド本体と別の部材であって、ヘッド本体に取り付けられることでこの取り付け部の剛性を高める剛性向上部材。
（ｅ）ヘッド本体と別の部材であって、ヘッド本体に取り付けられることでこの取り付け部の振動を吸収する振動吸収部材。
（ｆ）ヘッド本体と別の部材であって、ヘッド本体に取り付けられることでこの取り付け部に重量を付加する重量付加部材。
【００３８】
上記（ａ）の肉厚付加部の具体例として、上述の薄肉部１８の一部の領域に設けられ当該薄肉部１８のバック側に肉厚が付加された肉厚付加部が挙げられる。
【００３９】
上記（ｂ）の幅付加部の具体例として、上述のトップ周囲部２２の一部の領域に設けられ前記幅Ｗ１が部分的に大きくなるように付加された幅付加部が挙げられる。上記（ｂ）の幅付加部の他の具体例として、上述のトウ周囲部２４の一部の領域に設けられ前記幅Ｗ２が部分的に大きくなるように付加された幅付加部が挙げられる。
【００４０】
上記（ｃ）の熱処理の一例は、焼入れである。この焼入れとして、高周波焼入れ及びレーザー焼入れが例示される。上記（ｃ）の熱処理部の一例として、後述の硬度増加部が例示される。
【００４１】
典型的な高周波焼入れでは、コイルを用いた渦電流によりワーク（ヘッド）の一部を加熱する。この高周波焼入れでは、１ｍｍ以上の比較的深い硬化層が形成されうる。加熱温度は、７００〜１０００℃とされうる。高周波焼入れでは、冷却水により水冷されるのが好ましい。
【００４２】
典型的なレーザー焼入れでは、レーザー光によりワーク（ヘッド）を表面から加熱する。このレーザー焼入れでは、１ｍｍ以下の比較的浅い硬化層が形成されうる。加熱温度は、表面温度で、６００〜７００℃程度とされうる。レーザー焼入れでは、自己冷却（自然冷却）が可能であり、冷却水が不要とされうる。
【００４３】
好ましいレーザー焼入れでは、Ｙｂディスク（レンズ）を使用したレーザー機が用いられる。Ｙｂはイッテルビウムを意味する。このレーザー機では、出力が１０００Ｗ、走査速度が２００ｍｍ／ｍｉｎとされうる。このレーザー機は、レンズでレーザーを焦点に集めることで、強いエネルギーをワークに付与することができる。
【００４４】
振動抑制効果の観点からは、焼入れの効果が大きい高周波焼入れが好ましい。一方、レーザー焼入れは、より局所的な焼入れに適している。
【００４５】
［振動抑制部材］
振動抑制部が別個の部材としてヘッドに取り付けられていてもよい。この場合、振動抑制部は、振動抑制部材と称される。またこの場合、ヘッドのうち、振動抑制部材以外の部分が、ヘッド本体と称される。振動抑制部材は、振動抑制部の一例である。この振動抑制部材として、上記（ｄ）の剛性向上部材、上記（ｅ）の振動吸収部材及び上記（ｆ）の重量付加部材が挙げられる。振動吸収部材の材質は、ヘッド本体の材質よりも振動吸収性が高いのが好ましい。
【００４６】
振動抑制部材の取り付け方法は限定されず、接着剤による接着、溶接、ろう付け、ネジ結合及び圧入が例示される。
【００４７】
［対策前ヘッド、対策後ヘッド］
振動抑制部が設けられる前のヘッドが、対策前ヘッドとも称される。振動抑制部が設けられた後のヘッドが、対策後ヘッドとも称される。対策後ヘッドが、実施形態である。対策前ヘッドは、対策後ヘッドから、振動抑制部が除去されたヘッドである。対策後ヘッドは、対策前ヘッドに、振動抑制部が付加されたヘッドである。振動抑制部が振動抑制部材である場合、ヘッド本体が対策前ヘッドである。
【００４８】
対策前ヘッドで、固有値解析がなされる。最大振幅部Ｐｘ１は、対策前ヘッドにおいて決定される。対策前ヘッドにおける最大振幅部Ｐｘ１の位置に基づいて、振動抑制部の位置等が決定されうる。
【００４９】
ヘッド本体と振動抑制部材とを有するヘッドでは、ヘッド本体が対策前ヘッドである。この場合、ヘッド本体で、固有値解析がなされる。最大振幅部Ｐｘ１は、ヘッド本体において決定される。ヘッド本体における最大振幅部Ｐｘ１の位置に基づいて、振動抑制部材の位置等が決定されうる。
【００５０】
図６は、ヘッド２（対策後ヘッド）を作製する方法の一例を示すフローチャートである。この方法では、対策前ヘッドの固有値解析がなされる（ステップＳｔ１）。次に、この固有値解析の結果に基づき、対策前ヘッドの最大振幅部Ｐｘ１が特定される（ステップＳｔ２）。前述の通り、最大振幅部Ｐｘ１は、４０００Ｈｚに最も近い固有振動数を有する振動モードにおける最大振幅部を意味する。このステップＳｔ２は、４０００Ｈｚに最も近い固有振動数を有する振動モードにおける最大振幅部Ｐｘ１を特定するステップの一例である。次に、この最大振幅部Ｐｘ１の位置に基づいて、振動抑制部が設けられる（ステップＳｔ３）。このステップＳｔ３は、前記最大振幅部Ｐｘ１における振動が抑制されるように、振動抑制部を設けるステップの一例である。これらのステップにより、ヘッド２（対策後ヘッド）が完成する。
【００５１】
振動抑制部は、最大振幅部Ｐｘ１における振動を抑制する役割を果たす。振動抑制部の仕様（位置、領域等）は、最大振幅部Ｐｘ１における振動を抑制する効果を果たしうる限り、限定されない。振動抑制部は、最大振幅部Ｐｘ１を含む領域に配置されていてもよい。振動抑制部は、最大振幅部Ｐｘ１の少なくとも一部を含む領域に配置されていてもよいし、最大振幅部Ｐｘ１の全体を含む領域に配置されていてもよい。また、振動抑制部は、最大振幅部Ｐｘ１から離れていてもよい。最大振幅部Ｐｘ１から離れていても、例えば最大振幅部Ｐｘ１の近傍に位置する振動抑制部は、最大振幅部Ｐｘ１における振動を抑制する効果を果たしうる。更に、振動抑制部が最大振幅部Ｐｘ１から遠くに位置していても、振動モード（固有モード形）との関係で、最大振幅部Ｐｘ１の振動が抑制される場合がある。この振動抑制効果は、対策後ヘッドの打球音により確認されうる。また、この振動抑制効果は、対策後ヘッドの固有値解析を行うことによっても、確認されうる。
【００５２】
最大振幅部Ｐｘ１の近傍とは、例えば、最大振幅部Ｐｘ１からの距離が１０ｍｍ以下の領域とされうる。
【００５３】
振動抑制部は、それが設置された部分の剛性を高めるものであってもよい。振動抑制部は、それが設置された部分の重量を増加させるものであってもよい。剛性が上がらなくても、重量が増加することで、最大振幅部Ｐｘ１での振動は抑制されうる。振動抑制部は、それが設置された部分の振動を吸収するものであってもよい。この振動吸収により、最大振幅部Ｐｘ１での振動は抑制されうる。
【００５４】
［第１実施形態］
第１実施形態は、上述したヘッド２である。このヘッド２では、振動抑制部が、前述した熱処理部である。ヘッド２の材質は、焼入れが可能な鋼である。この第１実施形態では、対策前ヘッドと対策後ヘッドとで、形状上の相違は無い。この第１実施形態では、熱処理前のヘッドが対策前ヘッドであり、熱処理後のヘッドが対策後ヘッドである。対策前ヘッドの固有値解析で最大振幅部Ｐｘ１が特定されると、例えば、この最大振幅部Ｐｘ１及び／又はその近傍を加熱して、振動抑制部が形成される。この加熱により、焼入れがなされる。この焼入れでは、例えば、金属組織がオーステナイト組織になるまで加熱され、その後の冷却でマルテンサイト組織が形成される。この結果、硬度が高くなり、剛性が高まる。この高い剛性により、最大振幅部Ｐｘ１における振動が抑制される。第１実施形態の詳細は、実施例１として後述される。
【００５５】
［第２実施形態］
図７は、第２実施形態のヘッド３０を示す。図７では、対策後ヘッドＨｆとしてのヘッド３０と、このヘッド３０に係る対策前ヘッドＨｂとが示されている。
【００５６】
なお、この対策前ヘッドＨｂは、第１実施形態のヘッド２に係る対策前ヘッドと同じである。この対策前ヘッドＨｂには、部分的な熱処理が施されていない。
【００５７】
ヘッド３０は、打撃フェース４、バックフェース６、トップ面８、ソール１０及びホーゼル１２を有する。バックフェース６はバックキャビティ１６を有する。打撃フェース４は、薄肉部１８を有する。ヘッド３０は、バックキャビティ１６の周囲を構成しバックキャビティ１６のトップ側に位置するトップ周囲部２２を有する。トップ周囲部２２は、外縁２２ａを有する。トップ周囲部２２の外縁２２ａは、トップ面８の後縁である。ヘッド３０は、バックキャビティ１６の周囲を構成しバックキャビティ１６のトウ側に位置するトウ周囲部２４を有する。トウ周囲部２４は、外縁２４ａを有する。トップ周囲部２２は、前記幅Ｗ１を有する。トウ周囲部２４は、前記幅Ｗ２を有する。
【００５８】
ヘッド３０（対策後ヘッドＨｆ）のトップ周囲部２２は、幅付加部２２ｂを有する。トップ周囲部２２において、幅付加部２２ｂは、幅Ｗ１が局所的に広い部分を形成している。トップ周囲部２２において、幅付加部２２ｂは、フェースセンターＦｃ側に突出する突出部を構成している。幅付加部２２ｂの幅Ｗ１は、幅付加部２２ｂのトウ側におけるトップ周囲部２２の幅Ｗ１よりも大きい。幅付加部２２ｂの幅Ｗ１は、幅付加部２２ｂのヒール側におけるトップ周囲部２２の幅Ｗ１よりも大きい。幅付加部２２ｂは、上記（ｂ）の幅付加部の一例である。
【００５９】
ヘッドＨｂ１の振動モード（図１０参照）が示すように、幅付加部２２ｂは、対策前ヘッドＨｂの最大振幅部Ｐｘ１から離れている。しかし、幅付加部２２ｂは、最大振幅部Ｐｘ１に近い。幅付加部２２ｂは、幅付加部２２ｂが配置されている部分及びその近傍の剛性を高めている。幅付加部２２ｂは、最大振幅部Ｐｘ１における振動を抑制しうる。
【００６０】
なお、幅付加部２２ｂは、最大振幅部Ｐｘ１の少なくとも一部を含む領域に設けられてもよいことは当然である。
【００６１】
［第３実施形態］
図８は、第３実施形態のヘッド４０を示す。図８では、対策後ヘッドＨｆとしてのヘッド４０と、このヘッド４０に係る対策前ヘッドＨｂとが示されている。
【００６２】
なお、この対策前ヘッドＨｂは、第１実施形態のヘッド２に係る対策前ヘッドと同じである。この対策前ヘッドＨｂには、前述した部分的な熱処理が施されていない。
【００６３】
ヘッド４０は、打撃フェース４、バックフェース６、トップ面８、ソール１０及びホーゼル１２を有する。バックフェース６はバックキャビティ１６を有する。打撃フェース４は、薄肉部１８を有する。ヘッド４０は、バックキャビティ１６の周囲を構成しバックキャビティ１６のトップ側に位置するトップ周囲部２２を有する。トップ周囲部２２は、外縁２２ａを有する。トップ周囲部２２の外縁２２ａは、トップ面８の後縁である。ヘッド４０は、バックキャビティ１６の周囲を構成しバックキャビティ１６のトウ側に位置するトウ周囲部２４を有する。トウ周囲部２４は、外縁２４ａを有する。トップ周囲部２２は、前記幅Ｗ１を有する。トウ周囲部２４は、前記幅Ｗ２を有する。
【００６４】
ヘッド４０（対策後ヘッドＨｆ）は、振動抑制部材４２を有する。ヘッド４０では、振動抑制部材４２は、トップ周囲部２２に隣接している。振動抑制部材４２は、トウ周囲部２４に隣接している。振動抑制部材４２は、トップ周囲部２２とトウ周囲部２４とが連結する角部に設けられている。振動抑制部材４２は、薄肉部１８の裏面に取り付けられている。振動抑制部材４２は、バックキャビティ１６の底面に取り付けられている。この取り付けの方法として、接着剤による接着が採用されている。
【００６５】
振動抑制部材４２の材質は、振動吸収材である。振動抑制部材４２の好ましい材質として、ポリマーが挙げられる。好ましいポリマーとして、エラストマーが例示される。エラストマーは、ゴムを含む概念である。振動抑制部材４２は、上記（ｅ）の振動吸収部材の一例である。振動抑制部材４２は、上記（ｆ）の重量付加部材の一例である。振動抑制部材４２は、最大振幅部Ｐｘ１における振動を抑制しうる。
【００６６】
［打球音と打球感］
本発明者は、４０００Ｈｚ近傍の音域において打球音が大きいと、不快に感じやすいことを見いだした。４０００Ｈｚ近傍の音域が、人が感じる打球音に影響し、更に打球感にまで影響することが判明した。４０００Ｈｚ近傍の音圧レベルを下げることが有効であることが分かった。振動抑制部により、前記最大振幅部Ｐｘ１の振動を抑制することで、この音域が制御されうる。４０００Ｈｚにおける音圧レベルＳ４を制御することで、心地よい打球音及び打球感が得られうる。更に、音圧レベルＳ５も打球音及び打球感に影響することが分かった。前記音圧レベルＳ４を前記音圧レベルＳ５よりも小さくすることで、打球音及び打球感が改善される。これらの結果は、人間の聴覚、及び、この聴覚に基づく打球音を打球感に結びつける脳の機能に起因するものと考えられる。
【００６７】
４０００Ｈｚ近傍の音域において打球音が大きいと、人はその音を「ヘッドが割れたような音」に感じることが分かった。この不快な打球音は、打球感にも悪影響を及ぼすことが分かった。打球音及び打球感を高める観点から、音圧レベルＳ４は、１００ｄＢ以下が好ましく、１００ｄＢ未満がより好ましく、９８ｄＢ以下がより好ましい。下限値としては、音圧レベルＳ４は、９０ｄＢ以上、あるいは９２ｄＢ以上とされうる。
【００６８】
打球音及び打球感を高める観点から、差（Ｓ５−Ｓ４）は、２ｄＢ以上が好ましく、３ｄＢ以上がより好ましく、４ｄＢ以上がより好ましく、５ｄＢ以上がより好ましい。上限値としては、差（Ｓ５−Ｓ４）は、１５ｄＢ以下、あるいは１０ｄＢ以下とされうる。
【００６９】
振動抑制効果の観点から、振動抑制部の体積は、１００ｍｍ３以上が好ましく、１０００ｍｍ３以上がより好ましく、２０００ｍｍ３以上がより好ましい。局在性の観点から、振動抑制部の体積は、４０００ｍｍ３以下が好ましく、３０００ｍｍ３以下がより好ましく、２５００ｍｍ３以下がより好ましい。
【００７０】
振動抑制効果の観点から、振動抑制部の重量は、０．５ｇ以上が好ましく、２ｇ以上がより好ましく、５ｇ以上がより好ましい。局在性の観点から、振動抑制部の重量は、５０ｇ以下が好ましく、２０ｇ以下がより好ましく、１０ｇ以下がより好ましい。
【実施例】
【００７１】
［実施例１］
前述したヘッド２と同じヘッドを作製した。鍛造により、フェースプレートを得た。鍛造により、前記フェースプレートに対応した形状の開口（貫通孔）を有するボディを得た。このボディの開口に前記フェースプレートを溶接して、実施例１に係る対策前ヘッドＨｂ（ヘッドＨｂ１と称する）を得た。ヘッドＨｂ１は、６番アイアンであり、ロフト角は２７°、ライ角は６２°であった。フェースプレートの材質は、クロムバナジウム鋼とされた。ボディの材質は、軟鉄（Ｓ２０Ｃ）とされた。軟鉄とは、炭素の含有率が０．３質量％以下の鋼を意味する。
【００７２】
フェースプレートのうち、ボディでバックアップされていない部分は、薄肉部を形成していた。この薄肉部の厚みＴ１は、２．０ｍｍであった。
【００７３】
このヘッドＨｂ１に、高周波焼入れを施して、実施例１のヘッド（対策後ヘッド：ヘッドＨｆ１と称する）を得た。高周波焼入れの仕様は、以下の通りであった。この焼入れにより、表面硬さ（ビッカース硬さ）が増加した。表面硬さが増加した領域は、最大振幅部Ｐｘ１の一部を含んでいた。
・加熱範囲：トップ周囲部のトウ側の部分
・加熱方法：フェースプレートが溶接される前のボディにおいて、トップ周囲部の該当部分にコイルを巻いて加熱
・電力    ：１２０ｋＷ
・周波数  ：１２０Ｈｚ
・加熱前の硬さ（ビッカース硬さ）：１７０ＨＶ
・照射後の硬さ（ビッカース硬さ）：３００ＨＶ
【００７４】
得られたヘッドＨｆ１をシャフトの先端部に取り付け、このシャフトの後端部にグリップを取り付けて、実施例１のゴルフクラブを得た。ゴルフクラブの長さは３７．５インチであり、クラブバランスはＤ２であった。
【００７５】
［比較例１］
前記実施例１の対策前ヘッドＨｂ１が、比較例１のヘッドとされた。このヘッドを用いた他は実施例１と同じにして、比較例１のゴルフクラブを得た。
【００７６】
［比較例２］
薄肉部厚みＴ１が２．１５ｍｍである他は前記対策前ヘッドＨｂ１と同様にして、比較例２に係るヘッド及びゴルフクラブを得た。
【００７７】
［比較例３］
前記厚みＴ１が２．３ｍｍである他は前記対策前ヘッドＨｂ１と同様にして、比較例３に係るヘッド及びゴルフクラブを得た。
【００７８】
実施例１及び比較例１〜３の仕様と評価結果が、下記の表１に示される。
【００７９】
＜評価方法＞
［音圧レベルＳ４、Ｓ５］
前述した方法で打球音を測定し、４０００Ｈｚにおける音圧レベルＳ４及び５０００Ｈｚにおける音圧レベルＳ５を得た。この結果が下記の表１に示される。また、打球音の測定結果であるグラフが、図９に示される。
【００８０】
［ＣＯＲの最大値］
前述した方法で測定された、打撃フェース内におけるＣＯＲの最大値が、下記の表１に示される。
【００８１】
［実打評価］
２０名のテスターが、各ゴルフクラブで５球ずつ打球し、キャリーの測定及び官能評価を行った。ボールとして、打球音の測定と同じく、住友ゴム工業社製の商品名「スリクソンＺ−ＳＴＡＲ  ＸＶ」（２０１７年発売）が用いられた。ボールの着地点までの飛距離であるキャリーが計測された。全てのキャリーのデータの平均値が、「キャリー」として下記の表１に示される。官能評価では、打感及び打球音の総合評価が、１点から５点までの５段階で評価された。点数が高いほど、評価が高い。２０名の評価点の平均値が、「打球音及び打球感の官能評価」として下記の表１に示される。
【００８２】
【表１】
2020062119.tif 000003
【００８３】
図１０は、比較例１のヘッド５０、すなわち、実施例１の対策前ヘッドＨｂ１の固有値解析の結果を示す画像である。図１１は、比較例３のヘッド６０の固有値解析の結果を示す画像である。図１０及び図１１では、４０００Ｈｚに最も近い固有振動数を有する振動モードが示されている。図１０及び図１１では、振幅が大きい領域ほど濃いグレースケールで、振動モードが示されている。
【００８４】
ヘッドＨｂ１（比較例１）では、４０００Ｈｚに最も近い固有振動数が、３９６８Ｈｚであった。比較例３では、４０００Ｈｚに最も近い固有振動数が、４２４９Ｈｚであった。図１０が示すように、ヘッドＨｂ１では、トウ上部に最大振幅部Ｐｘ１が存在していた。ヘッドＨｂ１では、薄肉部でない部分に最大振幅部Ｐｘ１が存在していた。前述した熱処理により、実施例１では、トウ上部の剛性が高まり、最大振幅部Ｐｘ１の振動が抑制された。この結果、図９に示される通り、実施例１と比較例１とでは、打球音に差異が生じた。
【００８５】
比較例３は、打球音及び打球感が良好であるが、ＣＯＲが小さかった。比較例１及び２では、ＣＯＲは大きいものの、打球音及び打球感が低評価であった。
【００８６】
これに対して、実施例１は、ＣＯＲが高く、且つ、打球感及び打球音が良好であった。実施例１では、４０００Ｈｚにおける音圧レベルＳ４が小さかった。また、実施例１では、差（Ｓ５−Ｓ４）が大きかった。
【００８７】
打球音が悪いヘッドＨｂ１の振動モード（図１０）では、トウ上部の頂点付近に最大振幅部Ｐｘ１が存在していた。これに対して、打球音が良好な比較例３の振動モード（図１１）では、トウ上部の頂点付近に最大振幅部Ｐｘ１が存在していなかった。このことは、トウ上部の振動が、打球音を悪化させうることを示している。この観点から、振動抑制部の少なくとも一部がトウ上部領域に配置されるのが好ましく、振動抑制部の全体がトウ上部領域に配置されるのがより好ましい。
【００８８】
図１２は、図５と同じ背面図であって、トウ上部領域を説明するための図である。
【００８９】
トウ上部領域は、ヘッド２が所定のライ角及びロフト角で水平接地面ＰＬ１上に載置された基準状態において決定される。図１３は、基準状態を説明するための図である。この図１３が示すように、この基準状態では、ホーゼル孔１４の中心線Ｚが、水平接地面ＰＬ１に垂直な平面ＶＰに含まれている。トウ上部領域の定義では、前記基準状態のヘッドにおいて、ヘッド高さＨｈが決定される。ヘッド高さＨｈは、水平接地面ＰＬ１からの高さが最大であるヘッド最高点Ｖ１の高さである。ヘッド最高点Ｖ１は、ホーゼル１２を除く部分におけるヘッドの最高点である。水平接地面ＰＬ１からの高さがＨｈの２／３である水平面ＰＬ２が決定される。ホーゼル１２以外の部分であって、水平面ＰＬ２よりも高い領域が、トウ上部領域と定義される。図１２では、トウ上部領域Ｒ１がハッチングで示されている。
【００９０】
トウ上部の振動を抑制する観点から、振動抑制部の少なくとも一部が、前記トウ上部領域に配置されてもよい。更には、振動抑制部の少なくとも一部が、前記トウ上部領域で且つフェースセンターよりもトウ側に配置されてもよい。更には、振動抑制部の全体が、前記トウ上部領域で且つフェースセンターよりもトウ側に配置されてもよい。
【００９１】
トウ上部の振動を抑制する観点から、振動抑制部は、ヘッド最高点Ｖ１を含んでいてもよい。
【００９２】
部分的な熱処理がなされたヘッドでは、この熱処理により表面硬さが増加した硬度増加部が形成されうる。この硬度増加部が、前記振動抑制部とされうる。この硬度増加部の少なくとも一部が、前記トウ上部領域に配置されてもよい。更には、硬度増加部の少なくとも一部が、前記トウ上部領域で且つフェースセンターよりもトウ側に配置されてもよい。更には、硬度増加部の全体が、前記トウ上部領域で且つフェースセンターよりもトウ側に配置されてもよい。
【００９３】
図１３が示すように、前記平面ＶＰと水平接地面ＰＬ１との交線ＮＬがトウ−ヒール方向とされる。このトウ−ヒール方向に基づき、フェースセンターよりもトウ側か否かが判断される。
【００９４】
上述した実施形態に関して、以下の付記を開示する。
［付記１］
フェースセンターを有する打撃フェースを備えており、
前記打撃フェース内におけるＣＯＲの最大値が０．８３０以上であり、
打点が前記フェースセンターであり、ヘッドスピードが３４．０ｍ／ｓであり、且つ、測定地点がボール中心から水平に３０ｃｍ離れた地点であるときの、打球音の音圧レベルが、４０００Ｈｚにおいて１００ｄＢ以下であり、
４０００Ｈｚに最も近い固有振動数での振動モードにおける最大振幅部の振動を抑制する振動抑制部を有しているアイアン型ゴルフクラブヘッド。
［付記２］
前記振動抑制部が、部分的な熱処理によって形成されている付記１に記載のアイアン型ゴルフクラブヘッド。
［付記３］
打撃フェースを備えたヘッド本体と、このヘッド本体に取り付けられた振動抑制部材とを有しており、
前記打撃フェース内におけるＣＯＲの最大値が０．８３０以上であり、
打点が前記打撃フェースの中心であり、ヘッドスピードが３４．０ｍ／ｓであり、且つ、測定地点がボール中心から水平に３０ｃｍ離れた地点であるときの、打球音の音圧レベルが、４０００Ｈｚにおいて１００ｄＢ以下であり、
前記ヘッド本体が、４０００Ｈｚに最も近い固有振動数を有する振動モードにおける最大振幅部を有しており、
前記振動抑制部材が、前記最大振幅部における振動を抑制しているアイアン型ゴルフクラブヘッド。
［付記４］
４０００Ｈｚにおける前記音圧レベルがＳ４（ｄＢ）とされ、
５０００Ｈｚにおける前記音圧レベルがＳ５（ｄＢ）とされるとき、
Ｓ５がＳ４よりも大きく、
差（Ｓ５−Ｓ４）が２ｄＢ以上である付記１から３のいずれか１項に記載のゴルフクラブヘッド。
［付記５］
４０００Ｈｚに最も近い固有振動数を有する振動モードにおける最大振幅部を特定するステップと、
前記最大振幅部の振動が抑制されるように、振動抑制部を設けるステップと、
を含むアイアン型ゴルフクラブヘッドの設計方法。
【符号の説明】
【００９５】
２、３０、４０・・・ゴルフクラブヘッド
４・・・打撃フェース
６・・・バックフェース
８・・・トップ面
１０・・・ソール
１２・・・ホーゼル
１６・・・バックキャビティ
１８・・・薄肉部
２２・・・トップ周囲部
２４・・・トウ周囲部
Ｈｂ・・・対策前ヘッド
Ｈｆ・・・対策後ヘッド
【図１】
2020062119.tif 000004
【図２】
2020062119.tif 000005
【図３】
2020062119.tif 000006
【図４】
2020062119.tif 000007
【図５】
2020062119.tif 000008
【図６】
2020062119.tif 000009
【図７】
2020062119.tif 000010
【図８】
2020062119.tif 000011
【図９】
2020062119.tif 000012
【図１０】
2020062119.tif 000013
【図１１】
2020062119.tif 000014
【図１２】
2020062119.tif 000015
【図１３】
2020062119.tif 000016